(57)【要約】【課題】書類の差し込みが容易且つ確実に可能であると共に、名刺、伝票等の小サイズ書類を捜す必要がなく使用上便利な構造とすることがホルダーを提供する。【解決手段】表側シート及び裏側シートが重ね合わせられた袋本体から小さな四角形状の外形サイズとなって切り取られ書類が差し込み可能となっているホルダーであって、表側シート２における交差した２辺部の角部分を切り欠くことにより形成された切り欠きコーナー部１９と、表側シート２における切り欠きコーナー部１９に対向した隅部分に弧状となって形成され書類の差し込み口となる第１切り込み線２０とを備える。【選択図】図１
2019136998.tif 000002
【特許請求の範囲】
【請求項１】
表側シート及び裏側シートが重ね合わせられ、３側辺が閉じ１側辺が開いた袋状に形成された袋本体から小さな四角形状の外形サイズとなって切り取られ、交差した２辺部が開く一方、他の２辺部で表側シート及び裏側シートが連設した状態となって作成され、前記交差した２辺部の間から書類が差し込み可能となっているホルダーであって、
前記表側シートにおける前記交差した２辺部の角部分を切り欠くことにより形成された切り欠きコーナー部と、
前記表側シートにおける前記切り欠きコーナー部に対向した隅部分に円弧状となって形成され書類の差し込み口となる第１切り込み線と、を備えていることを特徴とするホルダー。
【請求項２】
表側シート及び裏側シートが重ね合わせられ、３側辺が閉じ１側辺が開いた袋状に形成された袋本体から小さな四角形状の外形サイズとなって切り取られ、交差した２辺部が開く一方、他の２辺部で表側シート及び裏側シートが連設した状態となって作成され、前記交差した２辺部の間から書類が差し込み可能となっているホルダーであって、
前記表側シートにおける前記交差した２辺部の角部分を切り欠くことにより形成された切り欠きコーナー部と、
前記裏側シートにおける前記切り欠きコーナー部よりも外方に位置した部分に円弧状となって形成され書類の差し込み口となる第２切り込み線と、を備えていることを特徴とするホルダー。
【請求項３】
表側シート及び裏側シートが重ね合わせられ、３側辺が閉じ１側辺が開いた袋状に形成された袋本体から小さな四角形状の外形サイズとなって切り取られ、交差した２辺部が開く一方、他の２辺部で表側シート及び裏側シートが連設した状態となって作成され、前記交差した２辺部の間から書類が差し込み可能となっているホルダーであって、
前記表側シートにおける前記交差した２辺部の角部分を切り欠くことにより形成された切り欠きコーナー部と、
前記表側シートにおける前記切り欠きコーナー部に対向した隅部分に円弧状となって形成され書類の差し込み口となる第１切り込み線と、
前記裏側シートにおける前記切り欠きコーナー部よりも外方に位置した部分に円弧状となって形成され書類の差し込み口となる第２切り込み線と、を備えていることを特徴とするホルダー。
【請求項４】
前記交差した２辺部が前記裏側シートの内方に位置するように前記表側シートが前記裏側シートよりも小さなサイズとなっていることを特徴とする請求項１乃至３のいずれか１項記載のホルダー。
【請求項５】
前記表側シート及び裏側シートを連設する他の２辺部の内の少なくとも１辺部が折り込み部となっていることを特徴とする請求項１乃至３のいずれか１項記載のホルダー。
【請求項６】
前記表側シートに対し、前記裏側シートが厚くなっていることを特徴とする請求項１乃至４のいずれか１項記載のホルダー。
【請求項７】
前記第１切込み線及び／又は第２切込み線は、書類の差し込み口となる円弧状の単位切込み線が複数並ぶことにより形成されていることを特徴とする請求項１乃至３のいずれか１項記載のホルダー。
【請求項８】
前記複数の単位切込み線は、同心円の円周線であることを特徴とする請求項７記載のホルダー。
【請求項９】
前記複数の単位切込み線は、中心が異なった複数の円の円周線であることを特徴とする請求項８記載のホルダー。
【請求項１０】
前記第１切込み線及び／又は第２切込み線の終端部分に、第１切込み線及び／又は第２切込み線の円弧の方向と異なった方向に延びる緩衝線が連続していることを特徴とする請求項１乃至３又は８のいずれか１項記載のホルダー。
【請求項１１】
前記表側シート又は／及び裏側シートに商品名、会社名、その他の情報が印刷されていることを特徴とする請求項１乃至１０のいずれか１項記載のホルダー。
【請求項１２】
前記表側シート又は／及び裏側シートに二次元バーコード又は一次元バーコードが印刷されていることを特徴とする請求項１乃至１１のいずれか１項記載のホルダー。
【発明の詳細な説明】
【技術分野】
【０００１】
本発明は、バッグ、封筒等の袋本体から切り取ることにより書類を挟むホルダーとして再利用することができるホルダーに関する。
【背景技術】
【０００２】
ダイレクトメールに使用された封筒から切り取ることによりクリアファイル等のホルダーとして再利用する構造が特許文献１に記載されている。
この構造は、表裏一対のシートによって形成されたダイレクトメール用封筒の内方に対し、上部分離線を横方向に形成すると共に右側面に右側分離線を縦方向に形成するものである。そして、上部分離線及び右側分離線を境として封筒から切り取ることによりクリアファイルとして再利用するようになっている。このように切り取られたクリアファイルでは、表裏のシートの間に書類を挟むことにより書類の保管や持ち運びに使用することができる。
【先行技術文献】
【特許文献】
【０００３】
【特許文献１】特許第５２８１０３８号公報
【発明の概要】
【発明が解決しようとする課題】
【０００４】
しかしながら従来の構造では、切り取ったクリアファイルに対する書類の挟み込みがしにくい問題がある。これはクリアファイルでは、表裏のシートが同じサイズとなっており、表裏のシートの端部が重なった状態となっているため、シートの間に書類を差し込みにくいことに起因する。
又、従来の構造では、小さなサイズの書類、例えば名刺や葉書、伝票等の小サイズ書類も他の書類と一緒に挟み込む必要があることから、重なっている書類からこれらを捜す手間がかかっており、使用しにくい問題がある。
【０００５】
本発明は、このような従来構造の問題点を解消するためになされたものであり、再利用のために袋本体から切り取られる構造のホルダーにおいて、書類の差し込みが容易且つ確実に可能であると共に、名刺、伝票等の小サイズ書類を捜す必要がなく使用上便利な構造とすることがホルダーを提供することを目的とする。
【課題を解決するための手段】
【０００６】
本発明のホルダーは、表側シート及び裏側シートが重ね合わせられ、３側辺が閉じ１側辺が開いた袋状に形成された袋本体から小さな四角形状の外形サイズとなって切り取られ、交差した２辺部が開く一方、他の２辺部で表側シート及び裏側シートが連設した状態となって作成され、前記交差した２辺部の間から書類が差し込み可能となっているホルダーであって、前記表側シートにおける前記交差した２辺部の角部分を切り欠くことにより形成された切り欠きコーナー部と、前記表側シートにおける前記切り欠きコーナー部に対向した隅部分に円弧状となって形成され書類の差し込み口となる第１切り込み線と、を備えていることを特徴とする。
【０００７】
又、本発明のホルダーは、表側シート及び裏側シートが重ね合わせられ、３側辺が閉じ１側辺が開いた袋状に形成された袋本体から小さな四角形状の外形サイズとなって切り取られ、交差した２辺部が開く一方、他の２辺部で表側シート及び裏側シートが連設した状態となって作成され、前記交差した２辺部の間から書類が差し込み可能となっているホルダーであって、前記表側シートにおける前記交差した２辺部の角部分を切り欠くことにより形成された切り欠きコーナー部と、前記裏側シートにおける前記切り欠きコーナー部よりも外方に位置した部分に書類の差し込み口となる円弧状の第２切り込み線が形成されていることを特徴とする。
【０００８】
さらに、本発明のホルダーは、表側シート及び裏側シートが重ね合わせられ、３側辺が閉じ１側辺が開いた袋状に形成された袋本体から小さな四角形状の外形サイズとなって切り取られ、交差した２辺部が開く一方、他の２辺部で表側シート及び裏側シートが連設した状態となって作成され、前記交差した２辺部の間から書類が差し込み可能となっているホルダーであって、前記表側シートにおける前記交差した２辺部の角部分を切り欠くことにより形成された切り欠きコーナー部と、前記表側シートにおける前記切り欠きコーナー部に対向した隅部分に円弧状となって形成され書類の差し込み口となる第１切り込み線と、前記裏側シートにおける前記切り欠きコーナー部よりも外方に位置した部分に円弧状となって形成され書類の差し込み口となる第２切り込み線と、を備えていることを特徴とする
【０００９】
本発明では、前記交差した２辺部が前記裏側シートの内方に位置するように前記表側シートが前記裏側シートよりも小さなサイズとなっている。
又、前記表側シート及び裏側シートを連設する他の２辺部の内の少なくとも１辺部が折り込み部となっている。
又、前記表側シートに対し、前記裏側シートが厚くなっている、。
前記第１切込み線及び／又は第２切込み線は、書類の差し込み口となる円弧状の単位切込み線が複数並ぶことにより形成されている。
又、前記複数の単位切込み線は、同心円の円周線である。
又、前記複数の単位切込み線は、中心が異なった複数の円の円周線である。
又、前記第１切込み線及び／又は第２切込み線の終端部分に、第１切込み線及び／又は第２切込み線の円弧の方向と異なった方向に延びる緩衝線が連続している。
又、前記表側シート又は／及び裏側シートに商品名、会社名、その他の情報が印刷されている。
又、前記表側シート又は／及び裏側シートに二次元バーコード又は一次元バーコードが印刷されている。
【発明の効果】
【００１０】
本発明によれば、再利用のために袋本体から切り取られるホルダーとすると共に、書類の差し込みが容易且つ確実に可能であると共に、名刺、伝票等の小サイズ書類を捜す必要がなく使用上便利な構造とすることがホルダーとすることができる。
【図面の簡単な説明】
【００１１】
【図１】本発明の第１実施形態を示し、ホルダーが切り取り可能に形成されたバッグの正面図である。
【図２】バッグからホルダーを切り取った状態を示す正面図である。
【図３】バッグの展開状態を示す斜視図である。
【図４】第１実施形態のホルダーの使用状態を示す正面図である。
【図５】ホルダーが切り取り可能に形成された封筒を示す正面図である。
【図６】封筒からホルダーを切り取った状態を示す正面図である。
【図７】本発明の第２実施形態のホルダーを示す正面図である。
【図８】第３実施形態のホルダーを示す正面図である。
【図９】第４実施形態のホルダーを示す正面図である。
【図１０】第５実施形態のホルダーを示す正面図である。
【図１１】第５実施形態のホルダーの使用状態を示す正面図である。
【図１２】第６実施形態のホルダーを示す正面図である。
【図１３】第３実施形態の変形例を示す正面図である。
【図１４】第７実施形態における第１切り込み線を示す正面図である。
【図１５】第５実施形態の変形例を示す正面図である。
【図１６】第８実施形態のホルダーを示す正面図である。
【発明を実施するための形態】
【００１２】
以下、本発明を図示する実施形態により具体的に説明する。なお、各実施形態において、同一の部材には同一の符号を付してある。
［第１実施形態］
図１〜図４は、本発明の第１実施形態を示す。この実施形態のホルダー１１は袋本体を形成するバッグ１（手提げバッグ１）から切り取られるものである。
手提げバッグからなるバッグ１は全体が透明な樹脂シートによって形成されている。樹脂シートとしては、ポリプロピレン（ＰＰ）、ポリエチレンテレフタレート（ＰＥＴ）、ポリエステル等の汎用のプラスチックを用いることができる。又、樹脂シートとしては、半透明や不透明であっても良く、絵柄、模様等のデザインが両面や片面に印刷されているものであっても良い。
【００１３】
図３はバッグ１の展開状態を示し、幅広の１枚のシートをヒンジ辺４を境として折り畳むことにより表側シート２と裏側シート３とが重ね合わせられる。これらのシート２、３が重ね合わせられた後、底辺５及び側辺６がヒートシールや接着剤により接合される。これによりバッグ１は図１に示すように３側辺４、５、６が閉じ、残りの１側辺（上側の側辺）７が開いた袋状に形成される。符号８はバッグ１を手で持ち下げるための手提げ用開口部である。
なお、表側シート２又は裏側シート３の両方又はいずれか一方におけるホルダー１１の表面には、販売者や製造者の会社名、取り扱い商品の商品名、その他の情報が印刷されている。これらの情報が印刷されることにより、販売者、製造者の広告、宣伝効果を期待することができる。印刷としては、バーコードや二次元コード等の暗号コードであっても良い。そして、これらの暗号コードをリーダーによって読み取って暗号コードをデコードしてパソコン等により印刷情報の内容を読み取る形態としても良い。
【００１４】
図２に示すように、ホルダー１１は袋状に形成された袋本体（バッグ１）から切り取られる。ホルダー１１の切り取りを行うため、図１及び図３に示すように、表側シート２及び裏側シート３に対して分離線１２、１３が形成される。分離線１２、１３は表裏のシート２、３の重なり状態でこれらのシート２、３の内方に位置し、且つ同一箇所となるように形成される。図示例において、分離線１２はシート２、３を接合した底辺５と平行に形成され、分離線１３はシート２、３のヒンジ辺４と平行に形成される。従って、分離線１２、１３によって切り取られるホルダー１１は四角形状となる。又、そのサイズはバッグ１よりも小さな外形となる。分離線１２、１３としては、ミシン目、細溝、半切り加工線、その他の線構造とすることができる。
【００１５】
この実施形態において、端部（交差部１６）で交差するように形成され、バッグ１から切り取られたホルダー１１において、分離線１２、１３は交差部１６で交差した２辺部１４、１５となる。交差した２辺部１４、１５は元となる分離線１２、１３が表裏のシート２、３の内方に形成されていることから、開いた状態の２辺部となる。この開いた２辺部１４，１５の間から書類２１を差し込むことができる。
【００１６】
交差した２辺部１４、１５以外の他の２辺部は、バッグ１の底辺５の一部を構成していた下辺部１７及びヒンジ辺４の一部を構成していた側辺部１８となる。バッグ１の状態では底辺５が閉じると共にヒンジ辺４が閉じていることから、これらの下辺部１７及び側辺部１８は閉じた状態の２辺部となる。
【００１７】
この実施形態において、交差した２辺部１４、１５の角部分（交差部１６に対応した部位）が切り欠かれており、この切り欠きによって切り欠きコーナー部１９が形成されている。切り欠きコーナー部１９は、分離線１２、１３に沿ってホルダー１１をバッグ１から切り取った後、表側シート２における切り欠きコーナー部１９の外側の余剰部分を切り取ることにより形成される。この切り欠きコーナー部１９に対し、裏側シート３では切り欠かれることがない。
【００１８】
かかる切り欠きコーナー部１９は角部１６に向かって凸となる弧状に形成されている。表側シート２に対して切り欠きコーナー部１９を形成することにより、裏側シート３における切り欠きコーナー部１９に対応した部分は表側シート２に隠れることがなく、表側に露出している。このような切り欠きコーナー部１９は裏側シート３の面の内方側に位置すると共に角張っていないため、書類２１の差し込みの際に差し込み箇所への目安とすることができる。従って、図４に示すように、切り欠きコーナー部１９を目安として表側に露出している裏側シート３の露出部分に沿って２辺部１４，１５の間に書類２１を簡単且つ確実に差し込むことができる。
かかる差し込みでは、切り欠きコーナー部１９の外方側に露出している裏側シート３の露出部分を指で押すことにより２辺部１４、１５の開き量を広げることができる。これにより、さらに書類２１の差し込みが容易となる。
【００１９】
以上に加えて、この実施形態では、第１切り込み線２０が表側シート２に形成される。図２に示すように、第１切り込み線２０は表側シート２における切り欠きコーナー部１９の反対側で対応した隅部分に形成されるものである。すなわち第１切り込み線２０は切り欠きコーナー部１９が形成される角部１６と反対側の隅部分、具体的には下辺部１７と側辺部１８とが交差する角部分２３に対応して形成される。第１切り込み線２０は切り欠きコーナー部１９に向かって凸となる円弧状でしかも切り込みコーナー部１９よりも短尺となって形成される。第１切り込み線２０は図４に示すように、通常の書類２１よりも小さな小サイズ書類２２、例えば名刺、葉書、伝票等が差し込まれることによりこれらを保持する。第１切り込み線２０は表側シート２に切り込みを形成することによりホルダー１１に予め形成されることが好ましい。ホルダー１１が樹脂によって形成される場合、後から切り込みを形成するのが難しいと共に面倒であることによる。
【００２０】
第１切り込み線２０が凸となる円弧状に形成されることにより、小サイズ書類２２を表側シート２の面内に対して内方側から差し込むことができる。この差し込みは小サイズ書類２２の外形線が第１切り込み線２０の両端部に当接することにより停止する。このような第１切り込み線２０を形成することにより小サイズ書類２２の差し込みが可能となる。そして第１切り込み線２０によって小サイズ書類２２を保持することにより小サイズ書類２２を通常の書類２１と一緒に挟み込む必要がなくなると共に、小サイズ書類２２が目につくようになる。このため、小サイズ書類２２を捜す手間がなくなる。
なお、第１切り込み線２０としては、中間部分がーナー部１９から離れる凹となった円弧状であっても良い。
【００２１】
このようなホルダー１１では、バッグ１等の袋本体から切り取られて書類を挟むように再使用されるため、袋本体での使用だけなく、ホルダー１１としても使用することができる。このため資材の無駄がなくなるばかりでなく、２つの用途に用いるため安価に提供することができる。又、印刷が施されることにより宣伝、広告機能を有したものとすることができる。
【００２２】
図５及び図６は、この実施形態の変形例を示す、この実施形態では、袋本体として封筒３０を用いるものであり、封筒３０からホルダー１１が切り取られる。封筒３０は表側シート２及び裏側シート３が重ね合わせられると共に、ヒンジ辺４、底辺５、側辺６が閉じる一方、上側の側辺７が開いた袋状となっている。開いている上側の側辺７には、封じ片３１が一体的に形成されている。封筒３０は薄紙、合成紙等の紙材によって形成されるが、プラスチックによって形成することもできる。
図５及び図６においても、ホルダー１１における表側シート２又は裏側シート３の両方又はいずれか一方の表面には、販売者や製造者の会社名、取り扱い商品の商品名、その他の情報が印刷されており、販売者、製造者の広告、宣伝機能を備えている。
【００２３】
袋本体となる封筒３０においても、交差部１６で交差した分離線１２、１３を形成し、分離線１２、１３を介して切り取ることにより封筒３０よりも小サイズとなった規格形状のホルダー１１を得ることができる。
【００２４】
ホルダー１１では、交差部１６で交差している２辺部１４、１５が開く一方、他の２辺部１７、１８が閉じるように形成される。そして、ホルダー１１においては、その表側シート２に弧状の切り欠きコーナー部１９が形成されると共に、切り欠きコーナー部１９との反対側で対応した隅部分に円弧状の第１切り込み線２０が形成される。切り欠きコーナー部１９を形成することにより、切り欠きコーナー部１９を目安として表側に露出している裏側シート３の露出部分に沿って書類２１を簡単且つ確実に差し込むことができる。又、表側シート２に第１切り込み線２０を形成することにより、第１切り込み線２０が小サイズ書類２２を保持する。このことにより小サイズ書類２２を通常の書類２１と一緒に挟み込む必要がなく、小サイズ書類２２が目につくようになるため、小サイズ書類２２を捜す手間がなくなる。
【００２５】
［第２実施形態］
図７は、本発明の第２実施形態を示す。この実施形態において、ホルダー１１が四角形状の小さな外形サイズとなってバッグ１や封筒３０等の袋本体から切り取られる。従って、ホルダー１１を再利用することにより、袋本体での使用だけでなく、ホルダー１１としても使用できるため、資材の無駄を省くことができる。このホルダー１１においても第１実施形態と同様に弧状の切り欠きコーナー部１９及び円弧状の第１切り込み線２０が表側シート２に形成される。
【００２６】
この実施形態では、以上の切り欠きコーナー部１９及び第１切り込み線２０に加えて、裏側シート３に第２切り込み線２５が形成される。第２切り込み線２５は表側シート２の切り欠きコーナー部１９よりも外方に位置するように裏側シート３に形成される。これにより、第２切り込み線２５は表側シート２に隠れることなく露出した状態となっている。又、第２切り込み線２５は切り欠きコーナー部１９に向かって凸となる円弧状に形成されている。
なお、第２切り込み線２５としては、中間部分がーナー部１９から離れる凹となった円弧形状であっても良い。  
【００２７】
第２切り込み線２５は表側シート２の第１切り込み線２０と同様に、名刺、伝票等の小サイズ書類２２を差し込むことにより、これらを保持する。この差し込みは小サイズ書類２２が第２切込み線２５の両端部に当接することにより停止する。このような実施形態では、第１切り込み線２０と第２切り込み線２５とによって小サイズ書類２２を保持することができるため、小サイズ書類２２の保持量を多くすることができる。又、第２切り込み線２５が凸となる円弧状に形成されることにより、小サイズ書類２２を表側シート２の面内の内方側から差し込むことができるため、小サイズ書類２２の差し込みをスムーズに行うことができる。
【００２８】
［第３実施形態］
図８は、本発明の第３実施形態を示す。この実施形態においても、ホルダー１１は四角形状の小さな外形サイズとなってバッグ１や封筒３０等の袋本体から切り取られる。従って、ホルダー１１を再利用することにより、袋本体での使用だけでなく、ホルダー１１としても使用できるため、資材の無駄を省くことができる。
【００２９】
この実施形態では、表側シート２の第１切り込み線２０が２本の単位切込み線２６、２７を並べることにより形成されている。これらの単位切込み線２６、２７は中心が同一となっている同心円の円周線を直交した半径線３２で切断するように形成されており、いずれも切込みコーナー部１９に向かって凸となる円弧状に形成されている。この内、単位切込み線２６は径が小さい円の円周線の一部であって短いのに対し、単位切込み線２７は径が大きい円の円周線の一部であって相対的に長くなっており、短い単位切込み線２６に対し長い単位切込み線２７が切込みコーナー部１９側に位置している。
【００３０】
裏側シート３においても、第２切り込み線２５が２本の単位切込み線２８、２９を並べることにより形成されている。これらの単位切込み線２８、２９も中心が同一となっている同心円の円周線を直交した半径線３３で切断するように形成されており、いずれも切込みコーナー部１９に向かって凸となる円弧状に形成されている。単位切込み線２８は径が小さい円の円周線の一部であって短く、単位切込み線２９は径が大きい円の円周線の一部であって長くなっており、短い単位切込み線２８に対し長い単位切込み線２９が切込みコーナー部１９側に位置している。
【００３１】
同心円の円周線からなる単位切込み線２６、２７及び２８、２９のそれぞれに対しては、小サイズの書類２２を挟み込むことができる。このように第１切り込み線２０及び第２切り込み線２５のそれぞれが２つの単位切り込み線２６、２７及び２８、２９を備えることにより小サイズ書類２２を挟み込む量が増大する。又、単位切込み線２６、２７及び２８、２９が同心円の円周線を直交した半径線で切断して形成されているため、これらが秩序良く並んでおり、小サイズ書類２２を整然として差し込むことができる。このため小サイズ書類２２の取り出しをスムーズに行うことができる。
【００３２】
さらに、第１切込み線２０及び第２切込み線２５では、ホルダー１１の外方側に位置する単位切込み線２６、２８が短い円弧となり、内方側に位置する単位切込み線２７，２９が長い円弧となっていることから、まず内方側の単位切込み線２７、２９に小サイズ書類２２を差し込み、次に外方側の単位切込み線２６、２８に小サイズ書類２２を差し込んで保持する。このことにより上下の小サイズ書類２２が前後で重なり合った状態で保持されるため、乱れた状態での保持がなくなり、整然とした保持が可能となる。
【００３３】
第１切込み線２０及び第２切込み線２５では、２つの単位切込み線２６、２７及び２８、２９が同心円の円周線によって形成しているが、これらの切込み線２０、２５における単位切込み線は同心円でなくても良い。
図１３は、この場合を第２切込み線２５について示しており、第１切り込み線２０に対しても同様に適用することができる。図１３に示すように、長さの短い円弧状となった単位切込み線２８と、長さの長い円弧状となった単位切込み線２９とはその中心が異なった円の円周線となっている。このように形成した単位切込み線２８、２９では、単位切込み線２８に差し込んだ小サイズ書類２２ａと単位切込み線２９に差し込んだ小サイズ書類２２ｂとは同形同大であっても、保持位置がずれた状態となる。このようにずれて保持されることにより、小サイズ書類２２ａ、２２ｂを見ることができるため、その確認を簡単に且つ確実に行うことができる。
【００３４】
この実施形態では、第１切込み線２０又は第２切込み線２５のいずれか一方を２つの単位切込み線によって形成することができる。又、第１切込み線２０又は／及び第２切込み線２５を３つ以上の単位切込み線によって形成しても良い。さらに他の実施形態におけるホルダー１１においても、第１切込み線２０又は／及び第２切込み線２５を複数の単位切込み線によって形成することができる。
なお、以上の単位切込み線２６、２７、２８、２９としては、中間部が切り欠きコーナー部１９から離れる凹となった円弧状に形成しても良い。
【００３５】
［第４実施形態］
図９は本発明の第４実施形態を示す。この実施形態においても、ホルダー１１が四角形状の小さな外形サイズとなってバッグ１や封筒３０等の袋本体から切り取られる。従って、ホルダー１１を再利用することにより、袋本体での使用だけでなく、ホルダー１１としても使用できるため、資材の無駄を省くことができる。このホルダー１１においても第１実施形態と同様に弧状の切り欠きコーナー部１９及び第１切り込み線２０が表側シート２に形成される。
【００３６】
この実施形態では、表側シート２における交差した２辺部１４、１５のうち、一方の辺部１５が裏側シート３の面内の内方に位置している。すなわち、表側シート２の幅が裏側シート３の幅よりも小さなサイズとなるように形成される。これにより、裏側シート３が表側シート２よりも幅方向に引き出た状態となるため、この部分を書類２１の差し込みの際のガイドとして用いることができ、書類の差し込みを円滑に行うことができる。
【００３７】
［第５実施形態］
図１０及び図１１は、本発明の第５実施形態を示す。この実施形態においても、ホルダー１１が四角形状の小さな外形サイズとなってバッグ１や封筒３０等の袋本体から切り取られる。従って、ホルダー１１を再利用することにより、袋本体での使用だけでなく、ホルダー１１としても使用できるため、資材の無駄を省くことができる。このホルダー１１においても第２実施形態と同様に弧状の切り欠きコーナー部１９及び第１切り込み線２０が表側シート２に形成され、第２切り込み線２５が裏側シート３に形成される。
【００３８】
表側シート２及び裏側シート３がヒンジ辺４としての側辺部１８によって連設されると共に、これらのシート２、３の下側の下辺部１７がヒートシールや接着剤によって接合されている。この実施形態においては、図１０に示すように、側辺部１８が表側シート２及び裏側シート３の間に折り込まれる折り込み部３５となっている。図１１は、折り込み部３５を伸張した状態を示し、表側シート２と裏側シート３とが大きく離れた状態で対向している。すなわち表側シート２と裏側シート３とが大きく開いた状態となり、表側シート２と裏側シート３との間に広い空隙部分を形成することができる。従って表側シート２と裏側シート３との間に沢山の書類２１を挟み込むことができ、保持する書類２１の数を多くすることができる。
【００３９】
図１５（Ａ）、（Ｂ）は第５実施形態の変形例をそれぞれ示す。図１５（Ａ）の変形例においては、表側シート２の下部と裏側シート３の下部とが下辺部１７によって接合されると共に、表側シート２と裏側シート３とを連設する側辺部１８に折り込み部３５が形成されている。下辺部１７の接合はシール線３７によって行われる。この場合のシール線３７は下辺部１７の上下方向の幅よりも小さい幅寸法に設定する。このことにより折り込み部３５の伸張に合わせて下辺部１７を同じように広げることができる。従って、表側シート２及び裏側シート３が上下方向で同じように開いた状態となるため、書類２１の挟み込みを円滑に行なうことができる。
図１５（Ｂ）の変形例においては、下辺部１７の上部に対し、側辺部１８の折り込み部３５と同様な折り込み部４０が形成されている。下辺部１７にも折り込み部４０を形成することにより側辺部１８及び下辺部１７の双方が広がるため、表側シート２及び裏側シート３の円滑な開きを確保することができる。
【００４０】
［第６実施形態］
図１２は、本発明の第６実施形態を示す。この実施形態においても、ホルダー１１が四角形状の小さな外形サイズとなってバッグ１や封筒３０等の袋本体から切り取られる。従って、ホルダー１１を再利用することにより、袋本体での使用だけでなく、ホルダー１１としても使用できるため、資材の無駄を省くことができる。このホルダー１１においても第１実施形態と同様に弧状の切り欠きコーナー部１９及び第１切り込み線２０が表側シート２に形成される。
【００４１】
この実施形態においては、表側シート２に対して裏側シート３が厚くなっている。従って、ホルダー１１が切り取られるバッグ１や封筒３０等の袋本体も裏側シート３が厚い形態となっている。厚くなっていることにより裏側シート３に強度を付与することができ、裏側シート３が撓みにくいため、書類２１を円滑に挟み込むことができる。また、裏側シート３が厚くなっていることにより、ホルダー１１全体の撓みを抑制することができ、ホルダー１１の形状保持ができるため使用上、便利となる。なお、この実施形態においては、表側シート２及び裏側シート３における側辺部１８はヒートシールや接着剤によって接合されるものである。
【００４２】
［第７実施形態］
この実施形態では、切り込み線の変形例を示す。図１４は表側シート２における第１切り込み線２０を示す、第１切り込み線２０は円弧状の本体線２０ａと、線本体２０ａの長さ方向の終端部分に形成された緩衝線３９とによって形成されている。緩衝線３９は本体線２０ａに終端部分に連続するように形成される。又、緩衝線３９は本体線２０ａが伸びる円弧の方向と異なった方向（図示例では、逆方向）に延びた円弧状に形成されると共に、本体線２０ａよりも小さな円弧となっている。このような緩衝線３９を第１切り込み線２０に形成することにより、第１切り込み線２０に小さなサイズの書類２２を挟み込んだ力が緩衝線３９によって分散して緩衝される。これにより第１切り込み線２０に切断力が作用しないため、第１切り込み線２０が必要以上に大きくなることを防止することができる。
【００４３】
［第８実施形態］
図１６は本発明の第８実施形態を示す。この実施形態のホルダー１１では、第２実施形態と同様に、表側シート２に弧状の切り欠きコーナー部１９及び第１切り込み線２０が形成される一方、裏側シート３に第２切り込み線２５が形成されている。
これに加えて、表側シート２の右下側のコーナー部に二次元バーコード５１が印刷されている。二次元バーコード５１には、ＵＲＬ等の情報が暗号化されている。この二次元バーコード５１をスマートフォンやパソコン等の電子通信機器によって読み取ることによりホームページ等とのアクセスが可能となる。これによりそのホームページ企業によるサービスを受けることができる。サービスとしては、例えば、飲食の価格割引やポイント付与、入場券割引等を任意に選択することができる。
なお、二次元バーコード５１は裏側シート３に印刷しても良く、その印刷個所も任意に選択するができる。又、二次元バーコードに代えて或いは二次元バーコードと並行して一次元バーコードを印刷しても良く、商品名、会社名等の文字情報と共に印刷しても良い。
【符号の説明】
【００４４】
１  バッグ
２  表側シート
３  裏側シート
１１  ホルダー
１４、１５  交差した２辺部
１６  交差部
１７  下辺部
１８  側辺部
１９  切り欠きコーナー部
２０  第１切り込み線
２１  書類
２２  小サイズ書類
２５  第２切り込み線
２６、２７、２８、２９  単位切り込み線
３０  封筒
３５、４０  折り込み部
３７  シール線
３９  緩衝線
【図１】
2019136998.tif 000003
【図２】
2019136998.tif 000004
【図３】
2019136998.tif 000005
【図４】
2019136998.tif 000006
【図５】
2019136998.tif 000007
【図６】
2019136998.tif 000008
【図７】
2019136998.tif 000009
【図８】
2019136998.tif 000010
【図９】
2019136998.tif 000011
【図１０】
2019136998.tif 000012
【図１１】
2019136998.tif 000013
【図１２】
2019136998.tif 000014
【図１３】
2019136998.tif 000015
【図１４】
2019136998.tif 000016
【図１５】
2019136998.tif 000017
【図１６】
2019136998.tif 000018
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
交差した２辺部が開く一方、他の２辺部で表側シート及び裏側シートが連設した状態となって作成され、前記交差した２辺部の間から書類が差し込み可能となっているホルダーであって、
前記表側シートにおける前記交差した２辺部の角部分を切り欠くことにより形成された切り欠きコーナー部と、
前記表側シートにおける前記切り欠きコーナー部に対向した隅部分に円弧状となって形成され書類の差し込み口となる第１切り込み線と、を備え、
前記第１切り込み線は、前記切り欠きコーナー部に向かって凸となる円弧状の単位切り込み線が複数並ぶことにより形成され、前記並んだ単位切り込み線は中心が異なった円の円周線によって形成され、並んだ単位切り込み線に差し込んだ書類がずれて保持され、
前記ホルダーは、前記表側シート及び裏側シートが重ね合わせられ、３側辺が閉じ１側辺が開いた袋状に形成された袋本体から小さな四角形状の外形サイズとなって切り取られるものであることを特徴とするホルダー。
【請求項２】
交差した２辺部が開く一方、他の２辺部で表側シート及び裏側シートが連設した状態となって作成され、前記交差した２辺部の間から書類が差し込み可能となっているホルダーであって、
前記表側シートにおける前記交差した２辺部の角部分を切り欠くことにより形成された切り欠きコーナー部と、
前記裏側シートにおける前記切り欠きコーナー部よりも外方に位置した部分に円弧状となって形成され書類の差し込み口となる第２切り込み線と、を備え、
前記第２切り込み線は、前記切り欠きコーナー部に向かって凸となる円弧状の単位切り込み線が複数並ぶことにより形成され、前記並んだ単位切り込み線は中心が異なった円の円周線によって形成され、並んだ単位切り込み線に差し込んだ書類がずれて保持され、
前記ホルダーは、前記表側シート及び裏側シートが重ね合わせられ、３側辺が閉じ１側辺が開いた袋状に形成された袋本体から小さな四角形状の外形サイズとなって切り取られるものであることを特徴とするホルダー。
【請求項３】
交差した２辺部が開く一方、他の２辺部で表側シート及び裏側シートが連設した状態となって作成され、前記交差した２辺部の間から書類が差し込み可能となっているホルダーであって、
前記表側シートにおける前記交差した２辺部の角部分を切り欠くことにより形成された切り欠きコーナー部と、
前記表側シートにおける前記切り欠きコーナー部に対向した隅部分に円弧状となって形成され書類の差し込み口となる第１切り込み線と、
前記裏側シートにおける前記切り欠きコーナー部よりも外方に位置した部分に円弧状となって形成され書類の差し込み口となる第２切り込み線と、を備え、
前記第１切込み線及び第２切り込み線のそれぞれは、前記切り欠きコーナー部に向かって凸となる円弧状の単位切り込み線が複数並ぶことにより形成され、前記並んだ単位切り込み線は中心が異なった円の円周線によって形成され、並んだ単位切り込み線に差し込んだ書類がずれて保持され、
前記ホルダーは、前記表側シート及び裏側シートが重ね合わせられ、３側辺が閉じ１側辺が開いた袋状に形成された袋本体から小さな四角形状の外形サイズとなって切り取られるものであることを特徴とするホルダー。
【請求項４】
前記交差した２辺部が前記裏側シートの内方に位置するように前記表側シートが前記裏側シートよりも小さなサイズとなっていることを特徴とする請求項１乃至３のいずれか１項記載のホルダー。
【請求項５】
前記表側シート及び裏側シートを連設する他の２辺部の内の少なくとも１辺部が折り込み部となっていることを特徴とする請求項１乃至３のいずれか１項記載のホルダー。
【請求項６】
前記表側シートに対し、前記裏側シートが厚くなっていることを特徴とする請求項１乃至３のいずれか１項記載のホルダー。
【請求項７】
前記第１切込み線及び／又は第２切込み線の終端部分に、第１切込み線及び／又は第２切込み線の円弧の方向と異なった方向に延びる緩衝線が連続していることを特徴とする請求項１乃至６のいずれか１項記載のホルダー。
【請求項８】
前記表側シート又は／及び裏側シートに商品名、会社名、その他の情報が印刷されていることを特徴とする請求項１乃至７のいずれか１項記載のホルダー。
【請求項９】
前記表側シート又は／及び裏側シートに二次元バーコード又は一次元バーコードが印刷されていることを特徴とする請求項１乃至８のいずれか１項記載のホルダー。